(57)【特許請求の範囲】
【請求項１】
緊急放送または業務放送の放送ラインで伝送される音声をワイヤレス送信機に入力し、前記ワイヤレス送信機から聴覚障害者が保持する補聴器用受信機に前記音声を送信して、聴覚障害者が前記放送ラインで伝送される音声を聴取できるようにしたことを特徴とする補聴システム。
【請求項２】
前記ワイヤレス送信機が、前記放送ラインの音声を放音するスピーカと電磁結合し、前記電磁結合を介して、前記放送ラインの音声が前記ワイヤレス送信機に入力することを特徴とする請求項１に記載の補聴システム。
【請求項３】
前記ワイヤレス送信機が放送音声収集用のマイクロホンを具備し、前記放送ラインの音声を放音するスピーカの音声が前記マイクロホンで収集されて、前記ワイヤレス送信機に入力することを特徴とする請求項１に記載の補聴システム。
【請求項４】
前記ワイヤレス送信機が、整流回路を具備し、前記放送ラインから入力する音声信号を前記整流回路で直流信号に変換して、前記ワイヤレス送信機の電源として用いることを特徴とする請求項１に記載の補聴システム。
【請求項５】
前記ワイヤレス送信機が、前記放送ラインの音声を蓄積する音声情報蓄積手段と、バックアップ電源と、前記整流回路からの直流電源出力が一定電圧以上になったときに供給電源を前記バックアップ電源から前記整流回路の直流電源に切り換える電源切替手段とを具備し、前記バックアップ電源を供給電源とするときに入力した音声を前記音声情報蓄積手段に蓄積し、供給電源が前記整流回路の直流電源に切り換わった後、前記音声情報蓄積手段に蓄積された音声を順次送信することを特徴とする請求項４に記載の補聴システム。
【請求項６】
前記ワイヤレス送信機が、前記放送ラインの音声の内容を判断する音声内容判断手段と、前記音声を内容に応じたデータに変換する音声データ変換手段とを具備し、前記補聴器用受信機が、前記データを音声に変換するデータ音声変換手段を具備し、前記ワイヤレス送信機から補聴器用受信機に変換された前記データが送信されることを特徴とする請求項１に記載の補聴システム。
【請求項７】
前記ワイヤレス送信機が、周囲雑音収集用のマイクロホンを具備し、前記周囲雑音収集用のマイクロホンで検知した周囲雑音に応じて、前記放送音声収集用のマイクロホンで収集された音声のレベル及び周波数特性を調整することを特徴とする請求項３に記載の補聴システム。
【請求項８】
前記ワイヤレス送信機が、前記放送ラインの緊急放送を検知する緊急放送検知手段と、緊急放送の音声を対応するデータに変換する緊急信号生成手段とを具備し、前記補聴器用受信機が、前記データから緊急放送の音声を識別する緊急信号判別手段と、識別された緊急放送の音声を生成する緊急音声生成手段と、前記音声のレベル及び周波数特性を受聴者に合わせて最適化する音声増幅・周波数調整手段とを具備することを特徴とする請求項１に記載の補聴システム。
【請求項９】
前記ワイヤレス送信機が、前記放送ラインの緊急放送を検知する緊急放送検知手段と、緊急放送の内容を対応するデータに変換する緊急信号生成手段とを具備し、前記補聴器用受信機が、前記データから緊急放送の内容を識別する緊急信号判別手段と、識別された緊急放送の内容を視覚的に表示する表示手段とを具備することを特徴とする請求項１に記載の補聴システム。
【発明の詳細な説明】
【０００１】
【発明の属する技術分野】
本発明は、聴覚障害者のための補聴システムに関し、特に、緊急放送などの音声を聴取できるようにしたものである。
【０００２】
【従来の技術】
従来、屋外や屋内には、緊急放送や業務放送の放送システムが各所に設けられている。この放送システムでは、図１０に示すように、緊急放送や業務放送設備の放送ライン１００１がスピーカ１００２に接続しており、この放送設備のパワーアンプの出力が放送ライン１００１を通じてスピーカ１００２に送られ、スピーカ１００２から緊急放送や業務放送が音声として出力される。
【０００３】
一方、聴覚障害者は、補聴器により聴覚を補っているが、空間が広がる屋外や屋内では、この緊急放送や業務放送の音声が聞き取れない場合が発生する。
【０００４】
こうした聴覚障害者のために、図１０に示すように、ワイヤレス送信機１００５から無線で聴覚障害者用受信機（補聴器）１００６に情報を伝える方法が考えられる。
この場合、補聴器用ワイヤレス送信機１００５は、送信機専用放送ライン１００３及び送信機専用電源ライン１００４に接続し、また、補聴器用ワイヤレス送信機１００５自身は、送信機専用放送ライン１００３から入力する信号のレベルを調整するレベル調整回路と、レベル調整された信号を補聴器１００６に無線送信する送信回路と、送信機専用電源ライン１００４から供給される電源を補聴器用ワイヤレス送信機１００５の各部に割り振る送信機電源回路とを持つ。
【０００５】
この補聴器用ワイヤレス送信機１００５は、送信機専用放送ライン１００３を通じて送られて来る放送信号を、レベル調整回路でレベル調整した後、送信回路から無線送信する。補聴器１００６は、この信号を受信し、復調して音声を出力する。そのため、聴覚障害者は、送信機専用放送ライン１００３で送られて来た放送を聴取することが可能になる。
【０００６】
【発明が解決しようとする課題】
しかし、こうしたシステム構成では、送信機専用放送ライン１００３や送信機専用電源ライン１００４の配線工事に手間とコストとが掛かり、そのため、聴覚障害者向けの緊急放送や業務放送は行われていないのが現状である。
【０００７】
本発明は、こうした従来の問題点を解決するものであり、聴覚障害者に対して緊急情報などを伝えるシステムであって、配線や施工の手間が少ない補聴システムを提供することを目的としている。
【０００８】
【課題を解決するための手段】
そこで、本発明の補聴システムでは、緊急放送または業務放送の放送ラインで伝送される音声をワイヤレス送信機に入力し、ワイヤレス送信機から聴覚障害者が保持する補聴器用受信機に前記音声を送信して、聴覚障害者が放送ラインで伝送される音声を聴取できるようにしている。
【０００９】
そのため、配線や施工の負担は軽くなり、また、聴覚障害者への確実な情報の伝達が可能になる。
【００１０】
【発明の実施の形態】
本発明の請求項１に記載の発明は、緊急放送または業務放送の放送ラインで伝送される音声をワイヤレス送信機に入力し、ワイヤレス送信機から聴覚障害者が保持する補聴器用受信機に前記音声を送信して、聴覚障害者が放送ラインで伝送される音声を聴取できるようにしたものであり、配線や施工の負担を軽減することができ、また、聴覚障害者への確実な情報の伝達が音声により可能になる。
【００１１】
請求項２に記載の発明は、ワイヤレス送信機が、放送ラインの音声を放音するスピーカと電磁結合し、この電磁結合を介して、放送ラインの音声がワイヤレス送信機に入力するようにしたものであり、放送ラインから送信機への配線が不要となり、聴覚障害者への確実な情報の伝達が音声により可能となる。
【００１２】
請求項３に記載の発明は、ワイヤレス送信機に放送音声収集用のマイクロホンを設け、放送ラインの音声を放音するスピーカの音声をこのマイクロホンで収集して、ワイヤレス送信機に入力するようにしたものであり、放送ラインから送信機への配線が不要となり、聴覚障害者への確実な情報の伝達が音声により可能となる。
【００１３】
請求項４に記載の発明は、ワイヤレス送信機に、整流回路を設け、放送ラインから入力する音声信号を整流回路で直流信号に変換して、ワイヤレス送信機の電源として用いるようにしたものであり、ワイヤレス送信機用の電源を外部から供給する必要がなくなる。
【００１４】
請求項５に記載の発明は、ワイヤレス送信機に、放送ラインの音声を蓄積する音声情報蓄積手段と、バックアップ電源と、整流回路からの直流電源出力が一定電圧以上になったときに供給電源をバックアップ電源から整流回路の直流電源に切り換える電源切替手段とを設け、バックアップ電源を供給電源とするときに入力した音声を音声情報蓄積手段に蓄積し、供給電源が整流回路の直流電源に切り換わった後、音声情報蓄積手段に蓄積された音声を順次送信するようにしたものであり、ワイヤレス送信機用の電源を外部から供給する必要が無く、また、話頭切れを防止することができる。
【００１５】
請求項６に記載の発明は、ワイヤレス送信機に、放送ラインの音声の内容を判断する音声内容判断手段と、この音声を内容に応じたデータに変換する音声データ変換手段とを設け、補聴器用受信機に、このデータを音声に変換するデータ音声変換手段を設け、ワイヤレス送信機から補聴器用受信機に、変換されたデータを送信するようにしたものであり、データを送信するだけであるため、効率的な送信を行うことができる。
【００１６】
請求項７に記載の発明は、ワイヤレス送信機に、周囲雑音収集用のマイクロホンを設け、周囲雑音収集用のマイクロホンで検知した周囲雑音に応じて、放送音声収集用のマイクロホンで収集された音声のレベル及び周波数特性を調整するようにしたものであり、周囲騒音の影響を受けることなく、聴覚障害者に情報を音声で伝達することができる。
【００１７】
請求項８に記載の発明は、ワイヤレス送信機に、放送ラインの緊急放送を検知する緊急放送検知手段と、緊急放送の音声を対応するデータに変換する緊急信号生成手段とを設け、補聴器用受信機に、このデータから緊急放送の音声を識別する緊急信号判別手段と、識別された緊急放送の音声を生成する緊急音声生成手段と、この音声のレベル及び周波数特性を受聴者に合わせて最適化する音声増幅・周波数調整手段とを設けたものであり、緊急放送の有無を検知し、そのデータを送信することにより、簡単且つ効率的に聴覚障害者に緊急情報を伝達することができる。
【００１８】
請求項９に記載の発明は、ワイヤレス送信機に、放送ラインの緊急放送を検知する緊急放送検知手段と、緊急放送の内容を対応するデータに変換する緊急信号生成手段とを設け、補聴器用受信機が、このデータから緊急放送の内容を識別する緊急信号判別手段と、識別された緊急放送の内容を視覚的に表示する表示手段とを設けたものであり、聴覚障害者への確実な情報の伝達が視覚情報により可能となる。
【００１９】
以下、本発明の実施の形態について、図１から図９を用いて説明する。
【００２０】
（第１の実施形態）
第１の実施形態の補聴システムは、図１に示すように、放送設備から緊急放送や業務放送の音声信号が伝送される放送ライン１０１と、この音声信号を音声に換えて出力するスピーカ１０２と、放送ライン１０１を通じて伝送される音声信号を無線送信する補聴器用ワイヤレス送信機１０３と、補聴器用ワイヤレス送信機１０３から送信された無線信号を受信して音声を再生する聴覚障害者用受信機（補聴器）１０６とを備えている。
【００２１】
また、補聴器用ワイヤレス送信機１０３は、放送ライン１０１から入力する音声信号のレベルを調整するレベル調整回路１０４と、レベル調整された音声信号を無線送信する送信回路１０５とを具備している。
【００２２】
このシステムでは、緊急放送等の放送設備のパワーアンプから送出された音声信号が、放送ライン１０１を通じて、スピーカ１０２に入力し、スピーカ１０２から音声出力されると共に、この音声信号が放送ライン１０１を通じてワイヤレス送信機２０３に入力し、レベル調整回路１０４でレベル調整された後、送信回路１０５で無線信号に変調されて送信される。
【００２３】
この無線信号は、補聴器１０６で受信され、復調されて音声として出力される。そのため、聴覚障害者は緊急放送や業務放送を確実に聴取することが出来る。
【００２４】
このシステムでは、補聴器用ワイヤレス送信機１０３の配線を放送ライン１０１から分岐しているため、配線が少なくて済み、また、配線施工の負担も少ない。
【００２５】
（第２の実施形態）
第２の実施形態の補聴システムでは、図２に示すように、補聴器用ワイヤレス送信機２０３が、電磁結合回路２０４を具備しており、この電磁結合回路２０４でスピーカ２０２の磁力を取ることにより、緊急放送等の音声信号を取得する。その他の構成は第１の実施形態と変わりがない。
【００２６】
このシステムでは、補聴器用ワイヤレス送信機２０３を、緊急放送等の放送ライン２０１に接続するスピーカ２０２の一つに近接して配置する。
【００２７】
放送設備から送出された音声信号は、放送ライン２０１を通じてスピーカ２０２に入力し、スピーカ２０２から音声出力される。また、このときのスピーカ２０２の磁力線が補聴器用ワイヤレス送信機２０３の電磁結合回路２０４で検出され、その検出結果である音声信号がレベル調整回路２０４に出力される。
【００２８】
その後の動作は第１の実施形態と同じであり、音声信号のレベル調整がレベル調整回路２０５で行われ、送信回路２０６で無線信号に変調されて送信される。これを受信した補聴器１０６では、受信信号を復調して音声を出力する。そのため、聴覚障害者は緊急放送や業務放送を確実に聴取することが出来る。
【００２９】
このシステムでは、放送ラインから補聴器用ワイヤレス送信機への配線が不要になる。
【００３０】
（第３の実施形態）
第３の実施形態の補聴システムは、図３に示すように、スピーカ３０２から発せられる緊急放送や業務放送の音声を収集して補聴器用ワイヤレス送信機３０３に送信するマイクロホン３０４を備えている。その他の構成は第１の実施形態（図１）と変わりがない。
【００３１】
このシステムでは、放送設備から送出された音声信号が、放送ライン３０１を介してスピーカー３０２に伝送され、スピーカ３０２より音声出力されると、マイクロホン３０４が、この音声を集音し、その音声信号を補聴器用ワイヤレス送信機３０３のレベル調整回路３０５に出力する。
【００３２】
その後の動作は第１の実施形態と同じであり、音声信号のレベル調整がレベル調整回路３０５で行われ、送信回路３０６で無線信号に変調されて送信される。これを受信した補聴器３０７では、受信信号を復調して音声を出力する。そのため、聴覚障害者は緊急放送や業務放送を確実に聴取することが出来る。
【００３３】
このシステムでは、放送ラインから補聴器用ワイヤレス送信機への配線が不要である。
【００３４】
（第４の実施形態）
第４の実施形態の補聴システムでは、放送ラインを通じて伝送される音声信号から補聴器用ワイヤレス送信機の電源を取得する。
【００３５】
このシステムは、図４に示すように、補聴器用ワイヤレス送信機４０３が、放送ライン４０１に流れる音声信号を整流する整流回路４０６と、整流された後の信号を電源として用いる送信機電源回路４０７とを備えている。その他の構成は第１の実施形態（図１）と変わりがない。
【００３６】
このシステムでは、放送設備から送出された音声信号が、放送ライン４０１を通じてスピーカ４０２に入力するとともに、ワイヤレス送信機４０３のレベル調整回路４０４及び整流回路４０６に入力する。スピーカ４０２は、音声信号を音声に変換して出力する。
【００３７】
整流回路４０６は、入力する音声信号を整流し、送信機電源回路４０７は、整流された後の直流信号を電源として、レベル調整回路４０４及び送信回路４０５に供給する。レベル調整回路４０４は、入力する音声信号のレベル調整を行い、送信回路４０５は、レベル調整された信号を無線信号に変調して送信する。これを受信した補聴器４０８では、受信信号を復調して音声を出力する。そのため、聴覚障害者は緊急放送や業務放送を確実に聴取することが出来る。
【００３８】
このシステムでは、補聴器用ワイヤレス送信機４０３の電源を外部から供給する必要がない。
【００３９】
（第５の実施形態）
第５の実施形態の補聴システムでは、放送ラインの音声信号を整流して得られる電源が安定するまで放送の音声信号を蓄積し、電源が安定するのを待って送信を開始する。
【００４０】
このシステムでは、図５に示すように、補聴器用ワイヤレス送信機５０３が、緊急放送や業務放送の音声情報を蓄積する音声情報蓄積回路５０５と、送信機電源回路５０８から安定した電源が供給できるかどうかを判定する電源安定判定回路５０９と、電池や大容量コンデンサ等から成るバックアップ電源５１１と、レベル調整回路５０４及び音声情報蓄積回路５０５に対して送信機電源回路５０８またはバックアップ電源５１１からの電源を切り換えて供給する電源切り換え回路５１２とを備えている。その他の構成は第４の実施形態（図４）と変わりがない。
【００４１】
このシステムでは、緊急放送や業務放送の放送設備から送出された音声信号が、放送ライン５０１を通じてスピーカ５０２に入力するとともに、補聴器用ワイヤレス送信機５０３のレベル調整回路５０４及び整流回路５０７に入力し、スピーカ５０２は、音声信号を音声に変換して出力し、また、整流回路５０７は、入力する音声信号を整流して、送信機電源回路５０８に出力する。
【００４２】
一方、電源安定判定回路５０９は、送信機電源回路５０８から送信回路５０６に安定した電源供給が可能であるかどうかを判定しており、その判定結果を電源切換回路５１２に伝えている。電源切換回路５１２は、電源安定判定回路５０９の判定結果が否である場合には、バックアップ電源５１１をレベル調整回路５０４及び音声情報蓄積回路５０５に供給している。従って、音声信号の入力がない期間は、バックアップ電源５１１から、電源切換回路５１２を経て、レベル調整回路５０４及び音声情報蓄積回路５０５に電源が供給されている。
【００４３】
放送ライン５０１からの音声信号がレベル調整回路５０４に入力すると、レベル調整回路５０４は音声信号のレベルを調整し、音声情報蓄積回路５０５はそれを蓄積する。従って、音声信号は、入力と同時に音声情報蓄積回路５０５に蓄積される。
【００４４】
音声信号の入力が一定時間続き、送信機電源回路５０８において送信回路５０６を動作させるために十分な電圧が得られると、送信機電源回路５０８は送信回路５０６への電源供給を開始する。このとき、電源安定判定回路５０９は、電源切換回路５１２にその旨を伝え、電源切換回路５１２は、レベル調整回路５０４及び音声情報蓄積回路５０５に対する電源供給を、バックアップ電源５１１から送信機電源回路５０８の電源に切り換える。
【００４５】
送信回路５０６の動作開始により、音声情報蓄積回路５０５に蓄積された音声信号は、順次送信回路５０６に出力され送信される。これにより、補聴器ワイヤレス送信機５０３は、放送ライン５０１から入力した音声信号を、漏れることなく送信することが出来る。送信された音声信号を補聴器５１０が受信することにより、聴覚障害者は、緊急放送や業務放送を確実に聴取することが出来る。
【００４６】
このように、このシステムでは、話頭切れを防止することができる。
【００４７】
（第６の実施形態）
第６の実施形態の補聴システムでは、音声情報を簡単なデータに変換して送信する。
【００４８】
このシステムは、図６に示すように、補聴器用ワイヤレス送信機６０３が、音声情報をその内容に対応した、例えばＡＡＡ、ＡＢＡ、ＡＣＣ等の簡単なデータに変換する音声データ変換回路６０５を具備し、また、補聴器６０７が、補聴器用ワイヤレス送信機６０３から送信されたデータを受信する受信回路６０８と、受信したデータを音声に変換するデータ音声変換回路６０９と、その音声を増幅し、また受聴者に最適な周波数特性に調整する音声増幅・周波数調整回路６１０とを具備している。
【００４９】
このシステムでは、緊急放送や業務放送の放送設備から送出された音声信号が、放送ライン６０１を通じてスピーカ６０２に入力するとともに、補聴器用ワイヤレス送信機６０３のレベル調整回路６０４に入力し、スピーカ６０２は、音声信号を音声に変換して出力する。
【００５０】
また、補聴器用ワイヤレス送信機６０３のレベル調整回路６０４は、入力する音声信号のレベルを調整して音声データ変換回路６０５に出力し、音声データ変換回路６０５は、この音声情報をその内容に対応した、例えばＡＡＡ、ＡＢＡ、ＡＣＣ等の簡単なデータに変換する。送信回路６０６は、変換されたデータを無線信号に変換して送信する。
【００５１】
一方、補聴器６０７では、受信回路６０８が補聴器用ワイヤレス送信機６０３から送信されたデータを受信し、データ音声変換回路６０９が、ＡＡＡ、ＡＢＡ、ＡＣＣ等の受信データを対応する音声信号に変換する。音声増幅回路・周波数調整回路６１０は、この音声信号を受聴者に最適な音量及び周波数特性の音声に変換して出力する。従って、聴覚障害者は、緊急放送や業務放送を確実に聴取することが出来る。
【００５２】
このシステムでは、補聴器用ワイヤレス送信機６０３と補聴器６０７との間でデータを送信するだけであるため、効率的な送信を行うことができる。
【００５３】
（第７の実施形態）
第７の実施形態の補聴システムでは、周囲の騒音に応じて、送信する音声のレベル及び周波数特性を最適化している。
【００５４】
このシステムは、図７に示すように、補聴器用ワイヤレス送信機７０３が、騒音収集マイク７０５によって集められた騒音に基づいて騒音のレベルを検知する騒音検知回路７０７と、放送音声収集マイク７０４によって生成された音声信号のレベル及び周波数特性を調整するレベル・周波数特性調整回路７０６と、それらが調整された音声信号を無線信号に変換して送信する送信回路７０８とを備えている。その他の構成は第３の実施形態（図３）と変わりがない。
【００５５】
このシステムでは、緊急放送や業務放送の放送設備から送出された音声信号がスピーカ７０２で音声に変換されて出力されると、マイクロホン７０４がそれを集音し、その音声信号がレベル・周波数特性調整回路７０６に入力する。
【００５６】
一方、騒音収集マイク７０５で集めた周囲騒音は騒音検知回路７０７に入力し、騒音検知回路７０７で検知された騒音の状態がレベル・周波数特性調整回路７０６に入力する。
【００５７】
レベル・周波数特性調整回路７０６は、この騒音の状態に基づいて、マイクロホン７０４から入力した音声信号のレベル及び周波数特性を最適な状態に調整する。
【００５８】
調整された音声信号は送信回路７０８から送信され、補聴器７０９で受信される。
【００５９】
このように、このシステムでは、聴覚障害者が、周囲の騒音の影響を受けることなく、緊急放送や業務放送を確実に聴取することが出来る。
【００６０】
（第８の実施形態）
第８の実施形態の補聴システムでは、緊急放送を確実に聴覚障害者に伝えることができる。
【００６１】
このシステムでは、図８に示すように、緊急放送設備から放送ライン８０１を通じて伝送された緊急情報がスピーカ８０２より放音される。この放送ライン８０１に接続する補聴器用ワイヤレス送信機８０３は、緊急放送が行われたことを検知する緊急放送検知回路８０４と、緊急情報の内容に応じたデータを生成する緊急信号生成回路８０５と、生成されたデータを送信する送信回路８０６とを具備し、また、聴覚障害者用受信機８０７は、補聴器用ワイヤレス送信機８０３から送られたデータを受信する受信回路８０８と、データから緊急情報の種別を識別する緊急信号判別回路８０９と、緊急情報を表す音声信号を生成する緊急音声生成回路８１０と、生成された音声信号を受聴者に最適な音量及び周波数特性に調整して音声出力する音声増幅・周波数調整回路８１１とを具備している。
【００６２】
このシステムでは、緊急放送設備から送出された音声信号が、放送ライン８０１を通じて、スピーカ８０２及び補聴器用ワイヤレス送信機８０３の緊急放送検知回路８０４に入力し、スピーカ８０２は、この緊急情報を音声で出力する。
【００６３】
補聴器用ワイヤレス送信機８０３の緊急放送検知回路８０４は、入力する音声信号から緊急放送が開始されたことを検出すると、それを緊急信号生成回路８０５に伝え、緊急信号生成回路８０５は、緊急情報の内容に対応したデータに変換し、送信回路８０６が、それを送信する。
【００６４】
一方、補聴器用受信機８０７では、受信回路８０８が、補聴器用ワイヤレス送信機８０３から送信されたデータを受信し、緊急信号判別回路８０９が、受信したデータから緊急情報の内容を判別し、それに対応した音声信号を緊急音声生成回路８１０が生成する。音声増幅・周波数調整回路８１１は、この音声信号のレベル及び周波数特性を受聴者に合わせて調整し、音声出力する。そのため、聴覚障害者は緊急放送を確実に聴取することが出来る。
【００６５】
このシステムでは、緊急放送内容をデータに変えて送信しているため、効率の良い送信が行える。
【００６６】
（第９の実施形態）
第９の実施形態の補聴システムでは、緊急情報を文字や光で表示する。
【００６７】
このシステムは、図９に示すように、補聴器９０７が、緊急信号判別回路９０９によって識別された緊急情報を光で表示するＬＥＤ表示部９１０を備えている。その他の構成は第８の実施形態（図８）と変わりがない。
【００６８】
このシステムでは、補聴器用受信機９０７の受信回路９０８が、補聴器用ワイヤレス送信機９０３から送信されたデータを受信すると、緊急信号判別回路９０９が、受信したデータから緊急情報の内容を判別してＬＥＤ表示部９１０に伝え、ＬＥＤ表示部９１０は、その内容に対応したＬＥＤを点灯したり、文字表示を行う。
【００６９】
そのため、聴覚障害者に対して、緊急情報を視覚情報により確実に伝えることができる。
【００７０】
【発明の効果】
以上の説明から明らかなように、本発明の補聴システムは、放送ラインから音声信号を得るようにしているため、配線が少なくて済み（省線化）、また、施工の負担を軽減することができる（省施工性）。
【００７１】
また、送信機用の電源を放送ラインの音声を整流して得るようにしたので、外部から電源を供給する必要がなく、省線化、省施工性の点でより優れた効果が得られる。
【００７２】
また、音声信号を一定時間蓄積してから出力するようにしたので、話頭切れの防止が出来るという効果が得られる。
【００７３】
また、音声情報をその内容から簡単なデータに変換して送信するようにしたので、効率の良い送信が行えるという効果が得られる。
【００７４】
また、周囲騒音を検知して、送信する音声信号を制御するようにしたので、周囲騒音の影響を受けることなく情報の伝達が可能になる。
【００７５】
また、音声情報だけでなく視覚情報によっても緊急放送の情報を伝達することが可能である。
【図面の簡単な説明】
【図１】本発明の第１の実施形態における補聴システムを示すブロック図、
【図２】本発明の第２の実施形態における補聴システムを示すブロック図、
【図３】本発明の第３の実施形態における補聴システムを示すブロック図、
【図４】本発明の第４の実施形態における補聴システムを示すブロック図、
【図５】本発明の第５の実施形態における補聴システムを示すブロック図、
【図６】本発明の第６の実施形態における補聴システムを示すブロック図、
【図７】本発明の第７の実施形態における補聴システムを示すブロック図、
【図８】本発明の第８の実施形態における補聴システムを示すブロック図、
【図９】本発明の第９の実施形態における補聴システムを示すブロック図、
【図１０】従来の技術を説明するためのブロック図である。
【符号の説明】
１０１、２０１、３０１、４０１、５０１、
６０１、７０１、８０１、９０１、１００１  放送ライン
１０２、２０２、３０２、４０２、５０２、
６０２、７０２、８０２、９０２、１００２  スピーカ
１０３、２０３、３０３、４０３、５０３、
６０３、７０３、８０３、９０３、１００５  補聴器用ワイヤレス送信機
１０４、２０５、３０５、４０４、５０４、６０４  レベル調整回路
１０５、２０６、３０６、４０５、５０６、
６０６、７０８、８０６、９０６  送信回路
１０６、２０７、３０７、４０８、５１０、
６０７、７０９、８０７、９０７、１００６  聴覚障害者用受信機
２０４  電磁結合回路
３０４、７０４、７０５  マイクロホン
４０６、５０７  整流回路
４０７、５０８  送信機電源回路
５０５  音声情報蓄積回路
５０９  電源安定判定回路
５１１  バックアップ電源
５１２  電源切換回路
６０５  音声データ変換回路
６０８、８０８、９０８  受信回路
６０９  データ音声変換回路
６１０  音声増幅・周波数調整回路
７０６  レベル調整・周波数特性調整回路
７０７  騒音検知回路
８０４、９０４  緊急放送検知回路
８０５、９０５  緊急信号生成回路
８０９、９０９  緊急信号判別回路
８１０  緊急音声生成回路
８１１  音声増幅・周波数調整回路
９１０  ＬＥＤ表示部
１００３  送信機専用放送ライン
１００４  送信機専用電源ライン
【図１】
0003604579.tif 000002
【図２】
0003604579.tif 000003
【図３】
0003604579.tif 000004
【図４】
0003604579.tif 000005
【図５】
0003604579.tif 000006
【図６】
0003604579.tif 000007
【図７】
0003604579.tif 000008
【図８】
0003604579.tif 000009
【図９】
0003604579.tif 000010
【図１０】
0003604579.tif 000011